(57)【特許請求の範囲】
【請求項１】
テレビ電話通信を行う発信先に関する少なくとも電話番号を含む発信先情報を入力する入力手段と、
前記入力手段により入力された複数の前記発信先情報をグループとして記憶する記憶手段と、
前記記憶手段に記憶された複数のグループの中から一のグループを検索する検索手段と、
既にテレビ電話通信の発信先として設定された発信先の発信先情報に基づいて、前記検索手段により前記記憶手段に記憶された複数のグループの中から検索を行い、その検索されたグループの前記発信先情報に対応する発信先をテレビ電話通信の発信先として設定する設定手段と、
前記設定手段によって設定されたテレビ電話通信の発信先の発信先情報に基づいてテレビ電話通信を行う通信手段と、
を備え、
前記通信手段により、すでに一以上の通信先と通信が確立されている場合に、
前記検索手段は、すでに通信が確立されている少なくとも一の通信先に対応する前記発信先情報が含まれるグループを、前記記憶手段により記憶されたグループの中から検索し、
前記設定手段は、前記検索手段により検索されたグループの前記発信先情報に対応する発信先のうち、すでに通信が確立されている発信先以外の発信先を追加し、
前記通信手段は、前記設定手段により追加された発信先に対して追加してテレビ電話通信を行うことを特徴とする携帯端末装置。
【請求項２】
前記検索手段により前記記憶手段に記憶されたグループを検索した結果が、該当する前記グループが存在しない旨の結果であった場合、該当する前記グループが存在しない旨の通知を行う通知手段をさらに備えたことを特徴とする請求項１に記載の携帯端末装置。
【発明の詳細な説明】
【技術分野】
【０００１】
本発明は、携帯端末装置に係り、特に複数の携帯端末装置で同時にテレビ電話通信を行うテレビ電話機能を備えた携帯端末装置に関する。
【背景技術】
【０００２】
従来、携帯電話機などの携帯端末装置を用いてテレビ電話通信を行うことが可能となっている（特許文献１参照）。携帯電話機によってテレビ電話通信を行う際には、音声電話通信と同様に、発信側の携帯電話機から着信側の携帯電話機に対して発信処理が行われ、着信側の携帯電話機にこの発信処理による着信信号が受信されて、発信側の携帯電話機と着信側の携帯電話機との間でテレビ電話通信の接続が確立される。
【０００３】
発信側の携帯電話機が着信側の携帯電話機に対し発信処理を行う手段として、携帯電話機の発信先入力画面で直接発信先の電話番号を入力する手段がある。
【０００４】
また、携帯電話機はアドレス帳機能を備えており、ユーザの操作に応じて例えばリスト状に表示されたアドレス帳の登録先の中から所望の発信先情報を選択することにより発信処理を行う手段がある。
【特許文献１】特開２００５−３５４２７４号公報
【発明の開示】
【発明が解決しようとする課題】
【０００５】
今日、テレビ電話通信を行う形態として、発信側と着信側の一対一で行うもののみならず、複数の発信先情報を入力または選択することで接続を確立し、同時通信が可能なグループテレビ電話機能がある。
【０００６】
このグループテレビ電話機能を利用して複数の発信先に発信処理を行う場合には、上述したように発信先情報入力画面で直接発信先の電話番号を入力するか、アドレス帳機能を利用して所望の発信先情報の選択を行う操作が必要になる。例えば、最大５つの携帯電話機と同時通信が可能な場合、ユーザは発信先情報入力画面で発信先情報を入力する操作を４回繰り返す必要がある。また、アドレス帳機能を利用する場合には、リスト上に表示されたアドレス帳の登録先の中から所望の発信先情報を選択する操作を４回繰り返す必要がある。
【０００７】
このため、グループテレビ電話を行うメンバが、家族同士、仲のよい友達同士、サークルのメンバ同士など、おおむね固定されている場合であっても、発信側であるユーザはその都度発信先情報を入力または選択する操作を行う必要があり、グループテレビ電話発信時における操作は煩雑なものであった。
【０００８】
本発明はこのような事情を考慮してなされたもので、グループテレビ電話発信時に必要な発信先情報を選定する操作を効率的に行う携帯端末装置を提供することを目的とする。
【課題を解決するための手段】
【０００９】
本発明に係る携帯端末装置は、上述した課題を解決するために、テレビ電話通信を行う発信先に関する少なくとも電話番号を含む発信先情報を入力する入力手段と、前記入力手段により入力された複数の前記発信先情報をグループとして記憶する記憶手段と、前記記憶手段により記憶されたグループが選択されたことに基づいて、当該グループに関連付けられた複数の発信先情報に対応する複数の発信先をテレビ電話通信の発信先として設定する設定手段と、前記設定手段によって設定されたテレビ電話通信の発信先の発信先情報に基づいてテレビ電話通信を行う通信手段と、を備えたことを特徴とする。
【００１０】
また、本発明に係る携帯端末装置は、テレビ電話通信を行う発信先に関する少なくとも電話番号を含む発信先情報を入力する入力手段と、前記入力手段により入力された複数の前記発信先情報をグループとして記憶する記憶手段と、前記記憶手段に記憶された複数のグループの中から一のグループを検索する検索手段と、既にテレビ電話通信の発信先として設定された後に、当該設定された発信先の情報に基づいて、前記検索手段により前記記憶手段に記憶された複数のグループの中から検索を行い、その検索されたグループの前記発信先情報に対応する発信先をテレビ電話通信の発信先として設定する設定手段と、前記設定手段によって設定されたテレビ電話通信の発信先の発信先情報に基づいてテレビ電話通信を行う通信手段と、を備えたことを特徴とする。
【発明の効果】
【００１１】
本発明に係る携帯端末装置は、複数の携帯端末装置で通信を行うテレビ電話発信時に必要な発信先情報を選定する操作を効率的に行うことができる。
【発明を実施するための最良の形態】
【００１２】
本発明に係る携帯端末装置の実施形態を添付図面に基づいて説明する。
【００１３】
図１は、本発明に係る携帯端末装置の一例である折りたたみ式の携帯電話機１の外観の構成を表す。なお、図１（Ａ）は、携帯電話機１を約１８０度に開いた開状態のときの正面から見た外観の構成を表しており、図１（Ｂ）は、携帯電話機１を開状態としたときの側面から見た外観の構成を表している。
【００１４】
図１（Ａ）および（Ｂ）に示されるように、携帯電話機１は、中央のヒンジ部１１を境に第１の筐体１２と第２の筐体１３とがヒンジ結合されており、ヒンジ部１１を介して矢印Ｘ方向に折り畳み可能に形成される。携帯電話機１の内部の所定の位置には、送受信用のアンテナ（後述する図３のアンテナ３１）が設けられており、内蔵されたアンテナを介して基地局（図示せず）との間で電波を送受信する。
【００１５】
第１の筐体１２には、その表面に「０」から「９」の数字キー、発呼キー、リダイヤルキー、終話・電源キー、クリアキー、およびメニューキーなどの操作キー１４が設けられており、操作キー１４を用いて各種指示を入力することができる。
【００１６】
第１の筐体１２には、操作キー１４として上部に十字キーと確定キーが設けられており、ユーザが十字キーを上下左右方向に操作することにより例えばカーソルを上下左右方向に移動させることができる。また、確定キーを押下することにより、種々の機能を確定することができる。確定キーには、メインディスプレイ１７の下部に設けられた確定キー機能表示部１７ｃに表示される処理も割り当てられる。
【００１７】
さらに、第１の筐体１２には、第１ソフトキー１４ａおよび第２ソフトキー１４ｂが十字キーと確定キーの上部にそれぞれ設けられている。第１の筐体１２の側面には、携帯電話機１の操作を行うサイドキー１６が設けられている。第１ソフトキー１４ａ、第２ソフトキー１４ｂおよびサイドキー１６は、第１の筐体１２の内部方向に押下されることによって、それぞれ所定の処理が割り当てられている。特に第１ソフトキー１４ａおよび第２ソフトキー１４ｂは、メインディスプレイ１７の下部に設けられたソフトキー機能表示部１７ａ、１７ｂに表示される処理が割り当てられる。
【００１８】
第１の筐体１２には、操作キー１４の下部にマイクロフォン１５が設けられており、マイクロフォン１５によって通話時のユーザの音声を集音する。
【００１９】
なお、第１の筐体１２は、背面側に図示しないバッテリパックが挿着されており、終話・電源キーがオン状態になると、バッテリパックから各回路部に対して電力が供給されて動作可能な状態に起動する。
【００２０】
一方、第２の筐体１３には、その正面にメインディスプレイ１７が設けられており、電波の受信状態、電池残量の他、電子メールの内容、簡易ホームページなどを表示することができる。本実施形態においては、主にテレビ電話発信前の発信先情報選択画面や、テレビ電話通話中のグループメンバの追加画面などが表示される。なお、メインディスプレイ１７は、例えばＬＣＤ（Ｌｉｑｕｉｄ  Ｃｒｙｓｔａｌ  Ｄｉｓｐｌａｙ）、有機ＥＬディスプレイ（ＥｌｅｃｔｒｏＬｕｍｉｎｅｓｃｅｎｃｅ  Ｄｉｓｐｌａｙ）、無機ＥＬディスプレイ（ｉｎｏｒｇａｎｉｃ  ｅｌｅｃｔｒｏＬｕｍｉｎｅｓｃｅｎｃｅ  Ｄｉｓｐｌａｙ）により構成されるディスプレイである。
【００２１】
また、メインディスプレイ１７の上部の所定の位置にはレシーバ（受話器）１８が設けられており、これにより、ユーザは音声通話することが可能である。なお、携帯電話機１の所定の位置には、レシーバ１８以外の音声出力部としてのスピーカ（図示せず）も設けられている。テレビ電話通話時には、このスピーカから通話相手の音声が出力される。
【００２２】
第１の筐体１３の上部には、内部ＣＣＤカメラ１９が設けられており、所望の撮影対象を撮影することができる。本実施形態では、テレビ電話通信時に内部ＣＣＤカメラ１９でユーザなどを撮像した撮像データが通信先の携帯電話機に送信される。
【００２３】
図２は、本発明に係る携帯電話機の一例である折りたたみ式携帯電話機１の他の外観の構成を表している。図２の携帯電話機１は、図１の携帯電話機１の状態から矢印Ｘ方向に回動させた閉状態であり、この状態を第１の筐体１２と第２の筐体１３とがほぼ重なり合う状態とする。なお、図２（Ａ）は、携帯電話機１が閉状態のときの正面から見た外観の構成を表しており、図２（Ｂ）は、携帯電話機１が閉状態のときの側面から見た外観の構成を表している。
【００２４】
第２の筐体１３の上部には、外部ＣＣＤカメラ２０が設けられており、これにより、所望の撮影対象を撮影することができる。本実施形態では、内部ＣＣＤカメラ１９と同様に、テレビ電話通信時に外部ＣＣＤカメラ２０で撮像した撮像データが通信先の携帯電話機に送信される。
【００２５】
外部ＣＣＤカメラ２０の下部には、例えばＬＣＤで構成されるサブディスプレイ２１が設けられており、現在のアンテナの感度のレベルを示すアンテナピクト、携帯電話機１の現在の電池残量を示す電池ピクト、現在の時刻などが表示される。
【００２６】
図３は、本実施形態における携帯電話機１の内部の構成を表している。
【００２７】
図示せぬ基地局から送信されてきた無線信号は、アンテナ３１で受信された後、アンテナ共用器（ＤＵＰ）３２を介して受信回路（ＲＸ）３３に入力される。受信回路３３は、受信された無線信号を周波数シンセサイザ（ＳＹＮ）３４から出力された局部発振信号とミキシングして中間周波数信号に周波数変換（ダウンコンバート）する。そして、受信回路３３は、このダウンコンバートされた中間周波数信号を直交復調して受信ベースバンド信号を出力する。
【００２８】
受信回路３３からの受信ベースバンド信号は、ＣＤＭＡ信号処理部３６に入力される。ＣＤＭＡ信号処理部３６は、図示せぬＲＡＫＥ受信機を備える。このＲＡＫＥ受信機では、受信ベースバンド信号に含まれる複数のパスがそれぞれの拡散符号（すなわち、拡散された受信信号の拡散符号と同一の拡散符号）で逆拡散処理される。そして、この逆拡散処理された各パスの信号は、位相が調停された後、コヒーレントＲａｋｅ合成される。Ｒａｋｅ合成後のデータ系列は、デインタリーブおよびチャネル復号（誤り訂正復号）が行われた後、２値のデータ判定が行われる。これにより、所定の伝送フォーマットの受信パケットデータが得られる。この受信パケットデータは、圧縮伸張処理部３７に入力される。
【００２９】
圧縮伸張処理部３７は、ＤＳＰ（Ｄｉｇｉｔａｌ  Ｓｉｇｎａｌ  Ｐｒｏｃｅｓｓｏｒ）などにより構成され、ＣＤＭＡ信号処理部３６から出力された受信パケットデータを図示せぬ多重分離部によりメディアごとに分離し、分離されたメディアごとに対してそれぞれ復号処理を行う。
【００３０】
例えば、圧縮伸張処理部３７のビデオコーデックにて復号されたディジタル動画像信号は、制御部４１に入力される。制御部４１は、圧縮伸張処理部３７から出力されたディジタル動画像信号に基づく動画像を、図示せぬビデオＲＡＭ（例えばＶＲＡＭなど）を介してメインディスプレイ１７に表示させる。なお、制御部４１は、受信された動画像データだけでなく、内部ＣＣＤカメラ１９や外部ＣＣＤカメラ２０により撮像された動画像データに関しても、図示せぬビデオＲＡＭを介してメインディスプレイ１７に表示させることも可能である。
【００３１】
圧縮伸張処理部３７は、制御部４１から出力されたディジタル動画像信号を圧縮符号化する。そして、圧縮伸張処理部３７は、動画像データを図示せぬ多重分離部で所定の伝送フォーマットに従って多重化した後にパケット化し、パケット化後の送信パケットデータをＣＤＭＡ信号処理部３６に出力する。
【００３２】
ＣＤＭＡ信号処理部３６は、圧縮伸張処理部３７から出力された送信パケットデータに対し、送信チャネルに割り当てられた拡散符号を用いてスペクトラム拡散処理を施し、スペクトラム拡散処理後の出力信号を送信回路（ＴＸ）３５に出力する。送信回路３５は、スペクトラム拡散処理後の信号をＱＰＳＫ（Ｑｕａｄｒａｔｕｒｅ  Ｐｈａｓｅ  Ｓｈｉｆｔ  Ｋｅｙｉｎｇ）方式などのディジタル変調方式を使用して変調する。送信回路３５は、ディジタル変調後の送信信号を、周波数シンセサイザ３４から発生される局部発振信号と合成して無線信号に周波数変換（アップコンバート）する。そして、送信回路３５は、制御部４１により指示される送信電力レベルとなるように、このアップコンバートにより生成された無線信号を高周波増幅する。この高周波増幅された無線信号は、アンテナ共用器３２を介してアンテナ３１に供給され、このアンテナ３１から図示せぬ基地局に向けて送信される。
【００３３】
携帯電話機１は、外部メモリインタフェース４５を備えている。この外部メモリインタフェース４５は、メモリカード４６を着脱することが可能なスロットを備えている。メモリカード４６は、ＮＡＮＤ型フラッシュメモリカードやＮＯＲ型フラッシュメモリカードなどに代表されるフラッシュメモリカードの一種であり、１０ピン端子を介して画像や音声、音楽等の各種データの書き込み及び読み出しが可能となっている。
【００３４】
さらに、携帯電話機１には、現在の正確な時刻を測定する時計回路（タイマ）４９が設けられている。
【００３５】
制御部４１は、ＣＰＵ（ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、およびＲＡＭ（Ｒａｎｄｏｍ  Ａｃｃｅｓｓ  Ｍｅｍｏｒｙ）などからなり、ＣＰＵは、ＲＯＭに記憶されているプログラムまたは記憶部４２からＲＡＭにロードされた各種のアプリケーションプログラムに従って各種の処理を実行するとともに、種々の制御信号を生成し、各部に供給することにより携帯電話機１を統括的に制御する。ＲＡＭは、ＣＰＵが各種の処理を実行する上において必要なデータなどを適宜記憶する。本実施形態においては、テレビ電話通信の発信先を設定する設定手段、および設定手段により設定された発信先の発信先情報に基づいてテレビ電話通信を行う通信手段として機能する。
【００３６】
記憶部４２は、例えば、電気的に書換えや消去が可能な不揮発性メモリであるフラッシュメモリ素子やＨＤＤ（Ｈａｒｄ  Ｄｉｓｃ  Ｄｒｉｖｅ）などからなり、制御部４１のＣＰＵにより実行される種々のアプリケーションプログラムや種々のデータ群を格納している。電源回路４４は、バッテリ４３の出力を基に所定の動作電源電圧Ｖｃｃを生成して各回路部に供給する。
【００３７】
本実施形態における携帯電話機１は、電話モードとして、マイクロフォン１５とレシーバ１８を使用して電話通信を行う音声電話モードと、マイクロフォン１５とスピーカおよび内部ＣＣＤカメラ１９や外部ＣＣＤカメラ２０とメインディスプレイ１７を使用して電話通信を行うテレビ電話モードとを備えている。
【００３８】
このテレビ電話モードには、複数の携帯電話機との同時通信が可能な機能（以下、グループテレビ電話という。）が備えられている。例えば、最大５つの携帯電話機などとグループテレビ電話通信を行うことができる場合、発信側としての携帯電話機１は、発信先の携帯電話機の電話番号を４つ別々に入力して発信処理を行う必要がある。
【００３９】
発信先情報を入力する機能として、数字キーを介して直接発信先の電話番号を入力する機能がある。また、携帯電話機１はアドレス帳機能を備えており、このアドレス帳に登録された電話番号の中から所望の電話番号を選択することにより発信処理を行う機能がある。
【００４０】
従来は、上述した機能のいずれかを用いて発信先情報を一つずつ入力または選択していた。グループテレビ電話機能を利用する際に上述した機能を用いると、５つの携帯電話機でグループテレビ電話通信を行う場合には発信先情報の入力または選択操作を４回行わなければならなかった。このため、グループテレビ電話を行う携帯電話機数が増えれば増えるほど操作は煩雑化し、グループテレビ電話通信を開始するまでに非常に時間や手間のかかるものであった。
【００４１】
これに対し、本実施形態における携帯電話機１は、グループテレビ電話機能を利用する際に、グループ登録機能を備えることで発信処理を効率的に行うことができる。
【００４２】
図４は、グループテレビ電話発信時および通信時において、効率よくグループテレビ電話の発信処理を行うためのグループ登録機能を説明する機能ブロック図である。本実施形態においては、グループテレビ電話機能を用いて最大５つの携帯電話機間で同時に通信が可能であり、他の４箇所の発信先に対して同時に発信可能な例を適用して説明する。なお、グループテレビ電話機能を用いて同時に通信が可能な携帯電話機は、５つに限らず他の数であってもよい。
【００４３】
グループ登録部６０は、複数の発信先情報を一のグループのグループメンバとして登録を行う。グループ登録部６０は、入力部としての操作キー１４を介してグループ登録を希望する発信先の電話番号などの発信先情報の入力を受け付ける。発信先情報の入力は、アドレス帳や発着信履歴から発信先情報を選択することで電話番号を入力したり、数字キーを介して直接電話番号やメンバ名を入力できるようになっている。グループメンバの発信先情報は、一グループにつき最大４つまで登録が可能であり、このグループメンバは適宜追加、削除、訂正などの編集を行うことができるようになっている。グループは複数登録することができ、各グループには「大学友達」、「バイト友達」、「家族」などの任意の名称が付される。登録または編集が行われたグループは、グループデータベース（ＤＢ）６１に記憶される。
【００４４】
グループデータベース（ＤＢ）６１は、グループ登録部６０によって登録または編集が行われたグループ化されたグループメンバの情報を記憶する記憶手段として機能する。グループＤＢ６１に記憶されたグループメンバの情報は、適宜参照することができる。
【００４５】
グループ検索部６２は、検索手段として機能し、入力部から少なくとも１箇所の発信先の名称や電話番号などの情報の入力を受け付けた場合、またはテレビ電話通信中の通信先情報を取得した場合、この発信先または通信先がグループメンバとして含まれるグループをグループＤＢ６１から検索する。また、入力部から複数箇所の発信先または通信先の情報の入力を受け付けた場合には、全ての発信先または通信先がグループメンバとして含まれるグループを検索する。検索結果は、表示部としてのメインディスプレイ１７に出力される。なお、入力を受け付けた一以上の発信先または通信先が含まれるグループがグループＤＢ６１に存在しない場合、グループ検索部６２は、該当するグループがない旨を通知手段としてのポップアップを利用してメインディスプレイ１７に出力する。
【００４６】
任意の複数の発信先情報を一のグループのグループメンバとして登録するグループ登録処理について説明する。グループ登録処理は、所望の発信先に関する発信先情報をあらかじめグループメンバとして登録する際に実行される。グループ化された複数の発信先情報は、グループテレビ電話発信時において利用され、簡易な操作で複数の発信先に対して同時に発信することができる。
【００４７】
図５は、グループ登録処理の流れを説明するフローチャートである。図６は、グループ登録処理を行う画面の一例を示す図である。
【００４８】
ステップＳ１において、グループ登録部６０は、操作キー１４を介してグループ登録処理を行う指示を受け付けたか否かの判定を行う。グループ登録部６０は、グループ登録処理を行う指示を受け付けていないと判定した場合、指示を受け付けるまで処理は待機する。
【００４９】
グループ登録部６０はグループ登録処理を行う指示を受け付けたと判定した場合、ステップＳ２において、グループ登録画面をメインディスプレイ１７に表示する。図６（Ａ）は、グループ登録画面の一例である。グループ登録画面では、すでに登録されたグループや、新規に登録可能なグループの一覧が表示される。グループ登録部６０は、ソフトキー機能表示部１７ｂに表示されている「サブメニュー」起動処理が割り当てられている第２ソフトキー１４ｂが押下されると、サブメニュー７０を表示する。このサブメニュー７０には、「１．グループ登録」処理、「２．フォルダ名編集」処理、「３．削除」処理などが選択可能に表示される。
【００５０】
ステップＳ３において、グループ登録部６０は、グループテレビ電話のグループメンバの追加指示を受け付けた後、メンバ追加画面を表示する。グループメンバの追加指示は、図６（Ａ）に示すサブメニュー７０のうち、「１．グループ登録」処理が選択されることで受け付ける。グループ登録部６０は、グループメンバの追加指示を受け付けると、図６（Ｂ）に示すグループメンバ追加画面を表示する。
【００５１】
ステップＳ４において、グループ登録部６０は、入力部としての操作キー１４を介してグループメンバの入力を受け付ける。グループメンバの入力は、アドレス帳や発着信履歴にリスト化された情報から選択することで入力を受け付ける方法や、操作キー１４の数字キーから電話番号などを受け付ける方法がある。
【００５２】
具体的には、グループ登録部６０は、第２ソフトキー１４ｂの押下によりメンバの入力（追加）の指示を受け付けると、図６（Ｂ）に示すサブメニューを表示する。サブメニュー７０には、グループメンバの入力を受け付ける方法が表示される。グループ登録部６０は「１．アドレス帳」の選択を受け付けた場合、アドレス帳から追加を希望するメンバの電話番号のなどの発信先情報の選択を受け付ける。グループ登録部６０は、「２．発着信履歴」の選択を受け付けた場合、発着信履歴の中から追加を希望するメンバの電話番号などの発信先情報の選択を受け付ける。グループ登録部６０は、「３．直接入力」の選択を受け付けた場合、操作キー１４の数字キーからメンバのメンバ名や電話番号などの発信先情報の入力を受け付ける。
【００５３】
グループ登録部６０は、入力を受け付けたグループメンバとしての発信先の名称を、図６（Ｂ）のように“ＡＡＡＡ”、“ＢＢＢＢ”、“ＣＣＣＣ”、“ＤＤＤＤ”として一覧で表示する。
【００５４】
ステップＳ５において、グループ登録部６０は、グループ化して入力または選択を受け付けたグループメンバの発信先情報を登録するためグループＤＢ６１に記憶する。グループＤＢ６１に記憶されたグループメンバに関する情報は、必要に応じて適宜参照できる。  なお、図６（Ａ）のグループ登録画面において表示されるサブメニュー７０において、グループ登録部６０は「２．フォルダ名編集」の選択を受け付けた場合、選択されているグループ名の編集を受け付ける。また、グループ登録部６０は「３．削除」の選択を受け付けた場合、選択されているグループをグループＤＢ６１から削除する。以上でグループ登録処理の説明を終了する。
【００５５】
次に、グループ登録機能を利用してグループテレビ電話を発信する発信処理について説明する。図７は、グループテレビ電話発信処理の流れを説明するフローチャートである。図８は、グループテレビ電話発信処理を行う画面の一例を示す図である。
【００５６】
ステップＳ１１において、制御部４１は、あらかじめグループとして登録された複数の発信先情報を用いてグループテレビ電話発信処理を行う指示を受け付けたか否かの判定を行う。制御部４１は、あらかじめグループとして登録された複数の発信先情報を用いてグループテレビ電話発信処理を行う指示を受け付けていないと判定した場合、指示を受け付けるまで処理は待機する。
【００５７】
制御部４１はあらかじめグループとして登録された複数の発信先情報を用いてグループテレビ電話発信処理を行う指示を受け付けたと判定した場合、ステップＳ１２において、グループＤＢ６１に記憶されたグループに関する情報を読み出し、図８（Ａ）のように一覧として表示する。
【００５８】
ステップＳ１３において、制御部４１は、一覧として表示されたグループの中から一のグループを選択する指示を受け付けると、グループＤＢ６１に記憶されたグループの中から選択されたグループの発信者情報を読み込みグループメンバ一覧として図８（Ｂ）のように表示する。
【００５９】
ステップＳ１４において、制御部４１は、グループテレビ電話発信指示を受け付けた後、グループメンバ全員をグループテレビ電話の発信先として設定し、同時にグループテレビ電話発信処理を行う。具体的には、図８（Ｂ）のように、ソフトキー機能表示部１７ａで「発信」処理が割り当てられた第１ソフトキー１４ａが押下された場合に、制御部４１はグループのグループメンバを発信者として、グループＤＢ６１から読み込んだ発信者情報に対しグループテレビ電話の発信処理を行う。
【００６０】
なお、ステップＳ１３において選択を受け付けたグループのグループメンバとしての発信先が、最大可能発信数の４つに満たない場合には、図８（Ｂ）のように確定キー機能表示部１７ｃで「追加」処理が割り当てられた確定キーが押下されると、さらにグループテレビ電話の発信先情報を追加することができる。また、追加のみならず表示された一部のメンバを削除できるようにしてもよい。以上でグループ登録機能を利用したグループテレビ電話発信処理の説明は終了する。
【００６１】
次に、グループテレビ電話発信前およびグループテレビ電話通信中におけるグループ検索処理について説明する。グループ検索処理はグループテレビ電話の発信先情報を選択する操作を行う場合に実行され、グループＤＢ６１に記憶されたグループの中から所望のグループを検索する際に簡易な操作で発信先情報を選択することができる。
【００６２】
図９は、グループテレビ電話発信前に実行されるグループ検索処理の流れを説明するフローチャートである。図１０は、グループテレビ電話発信前におけるグループ検索画面の一例を示す図である。
【００６３】
ステップＳ２１において、制御部４１は、音声電話モード、およびグループテレビ電話機能を含むテレビ電話モードを利用した通信を希望する発信先の発信先情報の入力を受け付けたか否かの判定を行う。発信先情報の入力は、入力手段としてのアドレス帳、発着信履歴などを利用して受け付ける。制御部４１は、通信を希望する発信先の発信先情報の入力を受け付けていないと判定した場合、指示を受け付けるまで処理は待機する。
【００６４】
制御部４１は、通信を希望する発信先の発信先情報の入力を受け付けたと判定した場合、ステップＳ２２において、発信先情報入力受付ステップＳ２１で入力を受け付けた発信先情報に基づく発信先に対する発信が、テレビ電話モードのグループテレビ電話機能を利用した発信が選択されたか否かの判定を行う。制御部４１は、グループテレビ電話機能を利用した発信の選択ではなく、音声通話モードまたは一の発信先に対するテレビ電話モードを利用した発信の選択を受け付けた場合、音声通話モードまたは一の発信先に対するテレビ電話モードを利用して、入力された発信先情報に基づく発信者に対して発信を行う。
【００６５】
一方、制御部４１はグループテレビ電話機能を利用した発信の選択を受け付けた場合、ステップＳ２３において、図１０（Ａ）に示すグループテレビ電話メンバ表示画面を表示し、グループテレビ電話を行う発信先の発信先情報の追加の入力を受け付ける。グループテレビ電話メンバ表示画面では、発信先情報入力受付ステップＳ２１で入力を受け付けた発信先情報に基づく発信先、例えば“ＡＡＡＡ”をグループテレビ電話の発信先として表示する。制御部４１は、確定キー機能表示部１７ｃで「追加」の処理が割り当てられた確定キーが押下された場合に発信先の追加指示を受け付け、図１０（Ｂ）に示すメンバ選択メニュー画面を表示する。
【００６６】
メンバ選択メニュー画面では、追加されるグループテレビ電話の発信先情報を入力する種々の機能が表示される。例えば、アドレス帳、発着信履歴、送受信メール履歴から所望の発信先情報を入力することによる追加や、直接入力により電話番号を入力することによる追加する機能が選択肢として表示される。なお、図１０（Ａ）に示すグループテレビ電話メンバ表示画面において、ソフトキー機能表示部１７ａで「発信」処理が割り当てられた第１ソフトキー１４ａが押下された場合には、制御部４１はその時点で入力されている発信先にテレビ電話を利用した発信を行う。図１０（Ａ）の例では“ＡＡＡＡ”のみにテレビ電話の発信を行う。
【００６７】
ステップＳ２４において、メンバ選択メニューから「１．登録グループ」による発信先情報の追加指示を受け付けた場合、グループ検索部６２は、発信先情報入力受付ステップＳ２１において入力を受け付けた発信先情報、および図１０（Ｂ）に示すメンバ選択メニュー画面において追加入力を受け付けた発信先情報に基づき、グループ検索処理を実行する。例えば、グループ検索部６２は、発信先情報入力受付ステップＳ２１において入力を受け付けた発信先である“ＡＡＡＡ”の発信先情報がグループメンバとして含まれるグループをグループＤＢ６１に記憶されたグループの中から検索する。
【００６８】
ステップＳ２５において、グループ検索部６２は、グループ検索ステップＳ２４で取得した検索結果に、発信先情報入力受付ステップＳ２１において入力を受け付けた発信先情報、および図１０（Ｂ）に示すメンバ選択メニュー画面において追加入力を受け付けた発信先情報が含まれるグループが存在するか否かの判定を行う。例えば、グループ検索部６２は、取得した検索結果に“ＡＡＡＡ”が含まれるグループが存在するか否かの判定を行う。
【００６９】
グループ検索部６２は、取得した検索結果に発信先情報入力受付ステップＳ２１において入力を受け付けた発信先情報、および図１０（Ｂ）に示すメンバ選択メニュー画面において追加入力を受け付けた発信先情報が含まれるグループが存在すると判定した場合、ステップＳ２６において、検索結果として全ての該当するグループをメインディスプレイ１７に表示する。図１０（Ｃ）は、“ＡＡＡＡ”がグループメンバとして含まれるグループが「大学友達」および「会社」であった場合の検索結果表示画面を表す。
【００７０】
また、検索結果表示画面において、例えばグループテレビ電話の発信を希望するグループとして「大学友達」が選択された場合、グループ検索部６２は図１０（Ｄ）のように「大学友達」グループのグループメンバである“ＡＡＡＡ”、“ＢＢＢＢ”、“ＣＣＣＣ”、“ＤＤＤＤ”を一覧で表示する。
【００７１】
さらに、ソフトキー機能表示部１７ａで「発信」処理が割り当てられた第１ソフトキー１４ａが押下されると、制御部４１はこれらのグループメンバ全員をグループテレビ電話の発信先として設定し、グループテレビ電話の発信処理を行う。なお、グループメンバとしての発信先が最大発信数の４つに満たない場合には、確定キー機能表示部１７ｃで「追加」処理が割り当てられた確定キーが押下されると、さらにグループテレビ電話の発信先情報を追加することができる。
【００７２】
一方、判定ステップＳ２５において、グループＤＢ６１に記憶されたグループの中に発信先情報入力受付ステップＳ２１において入力を受け付けた発信先情報、および図１０（Ｂ）に示すメンバ選択メニュー画面において追加入力を受け付けた発信先情報が含まれるグループが存在しないと判定された場合、グループ検索部６２は、該当するグループがない旨を通知する。通知は、例えば図１０（Ｅ）のようにポップアップ１７ｄを表示することで行う。以上でグループテレビ電話発信前に実行されるグループ検索処理の説明を終了する。
【００７３】
このグループ検索処理は、テレビ電話モードを利用した通信時においても利用可能である。通信時におけるグループ検索処理は、通信が確立されている携帯電話機などが同時通話が可能な最大数に達していない場合、通信中の複数の通信先に関する通信先情報（発信先情報）がグループメンバとして含まれるグループを検索することにより、さらにグループテレビ電話のメンバを追加する場合に実行される。
【００７４】
グループテレビ電話通信中におけるグループ検索処理について説明する。図１１は、グループテレビ電話通信中に実行されるグループ検索処理の流れを説明するフローチャートである。図１２は、グループテレビ電話通信中におけるグループ検索画面の一例を示す図である。
【００７５】
ステップＳ３１において、制御部４１は、少なくとも１の通信先と通信が確立されている場合に、あらかじめグループ化され登録された発信先情報の中からグループ検索処理を行う指示を受け付けたか否かの判定を行う。グループ検索部６２は、グループ検索処理を行う指示を受け付けていないと判定した場合、指示を受け付けるまで処理は待機する。グループ検索処理を行う指示は、図１２（Ａ）に示すテレビ電話モードによる通信時において、確定キー機能表示部１７ｃで「追加」処理が割り当てられた確定キーが押下されることにより受け付ける。
【００７６】
グループ検索部６２はグループ検索処理を行う指示を受け付けたと判定した場合、ステップＳ３２において、現在通信中である通信先の電話番号などの通信先情報を取得する。
【００７７】
ステップＳ３３において、グループ検索部６２は、通信先情報取得ステップＳ３２において取得した通信先である、例えば“ＥＥＥＥ”に関する通信先情報が発信先情報として含まれるグループをグループＤＢ６１に記憶されたグループの中から検索する。
【００７８】
ステップＳ３４において、グループ検索部６２は、グループ検索ステップＳ３３で取得した検索結果に、通信先情報取得ステップＳ３２において取得した通信先情報が発信者情報として含まれるグループが存在するか否かの判定を行う。検索結果に通信先情報取得ステップＳ３２において取得した通信先情報が含まれるグループが存在すると判定した場合、ステップＳ３５において、グループ検索部６２は検索結果として通信先情報取得ステップＳ３２において取得した通信先情報が含まれる全ての該当するグループを表示する。図１２（Ｂ）は、“ＥＥＥＥ”に関する通信先情報が発信先情報として含まれるグループが「会社」であった場合の検索結果表示画面を表す。
【００７９】
また、検索結果表示画面において表示された「会社」が選択された場合、グループ検索部６２は図１０（Ｃ）のように「会社」グループのグループメンバである“ＥＥＥＥ”、“ＦＦＦＦ”、“ＧＧＧＧ”、“ＨＨＨＨ”を一覧で表示する。
【００８０】
さらに、ソフトキー機能表示部１７ａで「発信」処理が割り当てられた第１ソフトキー１４ａが押下されると、制御部４１は現在通信中の“ＥＥＥＥ”以外のグループメンバをグループテレビ電話の発信先として設定し、さらに同時にグループテレビ電話の発信処理を行う。なお、グループメンバとしての発信先が最大発信先の４つに満たない場合には、確定キー機能表示部１７ｃで「追加」処理が割り当てられた確定キーが押下されると、さらにグループテレビ電話の発信先情報を追加することができる。
【００８１】
一方、判定ステップＳ３４において、検索結果に通信先情報取得ステップＳ３２において取得した通信先情報が含まれるグループが、グループＤＢ６１に記憶されたグループの中に存在しないと判定された場合、グループ検索部６２は、該当するグループがない旨を通知する。通知は、例えば図１０（Ｅ）のようにポップアップ１７ｄを表示することで行う。以上でグループテレビ電話発信前におけるグループ検索処理の説明を終了する。
【００８２】
なお、現在通信中の“ＥＥＥＥ”をグループメンバに含むグループの検索は、グループテレビ電話発信前に実行されるグループ検索処理と同様に、図１０（Ｂ）に示すメンバ選択メニュー画面を表示し、メンバ選択メニューから「１．登録グループ」を選択する指示を受け付けた後に行うようにしてもよい。
【００８３】
以上でグループテレビ電話通信中におけるグループ検索処理の説明を終了する。
【００８４】
この携帯電話機１によれば、グループテレビ電話の発信先情報をグループ化してあらかじめ登録するため、複数の発信先情報を選択する煩雑な操作を低減することができ、発信先情報を効率よく選択することができる。また、選択または入力された発信先に関する発信先情報がグループメンバとして含まれるグループをグループ検索機能を利用して容易に検索できるため、グループ登録機能利用時の操作性を向上させることができる。
【００８５】
さらにテレビ電話モードを利用した通信中においても、グループ化して登録された情報を元に、現在通信中の発信先に関する発信先情報がグループメンバとして含まれるグループおよび他のグループメンバに関する発信先情報を検索し、追加して発信することができるため、グループテレビ電話の利便性をさらに向上させることができる。
【００８６】
なお、本発明は、携帯電話機１以外にも、ＰＤＡ（Personal Digital Assistant）、パーソナルコンピュータ、携帯型ゲーム機、携帯型音楽再生機、携帯型動画再生機、その他の携帯端末装置にも適用することができる。
【００８７】
また、本発明の実施形態において説明した一連の処理は、ソフトウェアにより実行させることもできるが、ハードウェアにより実行させることもできる。
【図面の簡単な説明】
【００８８】
【図１】本発明に係る携帯端末装置の一例である携帯電話機の外観の構成図。
【図２】本発明に係る携帯端末装置の一例である携帯電話機の他の外観の構成図。
【図３】本発明に係る携帯端末装置の一例である携帯電話機の内部の構成を示すブロック図。
【図４】本実施形態におけるグループ登録機能を説明する機能ブロック図。
【図５】グループ登録処理の流れを説明するフローチャート。
【図６】グループ登録処理を行う画面の一例を示す図であり、（Ａ）はグループ登録画面を示す図、（Ｂ）はグループメンバ追加画面を示す図。
【図７】グループテレビ電話発信処理の流れを説明するフローチャート。
【図８】グループ登録機能を利用して発信処理を行う画面の一例を示す図であり、（Ａ）はグループ情報の一覧を表示した図、（Ｂ）は選択されたグループのメンバ一覧を表示した図。
【図９】発信前グループ検索処理の流れを説明するフローチャート。
【図１０】グループテレビ電話発信前におけるグループ検索画面の一例を示す図であり、（Ａ）はメンバ表示画面を示す図、（Ｂ）はメンバ選択メニュー画面を示す図、（Ｃ）は検索結果表示画面を示す図、（Ｄ）は選択されたグループのメンバ一覧を表示した図、（Ｅ）はポップアップ表示を説明する図。
【図１１】通信中グループ検索処理の流れを説明するフローチャート。
【図１２】テレビ電話通話時におけるグループ検索画面の一例を示す図であり、（Ａ）は通話時の画面を示す図、（Ｂ）は検索結果表示画面を示す図、（Ｃ）は選択されたグループのメンバ一覧を表示した図。
【符号の説明】
【００８９】
１  携帯電話機
１４  操作キー
１４ａ  第１ソフトキー
１４ｂ  第２ソフトキー
１７  メインディスプレイ
１７ａ、１７ｂ  ソフトキー機能表示部
１７ｃ  確定キー機能表示部
１７ｄ  ポップアップ
２０  ＣＣＤカメラ
４１  制御部
４２  記憶部
６０  グループ登録部
６１  グループデータベース（ＤＢ）
６２  グループ検索部
７０  サブメニュー
【図１】
0005082904.tif 000002
【図２】
0005082904.tif 000003
【図３】
0005082904.tif 000004
【図４】
0005082904.tif 000005
【図５】
0005082904.tif 000006
【図６】
0005082904.tif 000007
【図７】
0005082904.tif 000008
【図８】
0005082904.tif 000009
【図９】
0005082904.tif 000010
【図１０】
0005082904.tif 000011
【図１１】
0005082904.tif 000012
【図１２】
0005082904.tif 000013